(57)【要約】【課題】接続解放を契機に必要な接続を確立可能とする。【解決手段】接続制御システム１００は、要求先端末装置の接続可能数を越えるため拒否された要求元端末装置の接続要求に関する接続待ち情報を記憶する接続制御情報データベース３４と、接続待ち情報に基づいて、要求先端末装置への接続待ち情報の通知、又は、要求元端末装置への接続解放の通知の少なくとも１つを行う通知部３２と、接続要求に対する結果に基づいて接続制御情報データベース３４に接続待ち情報を登録する登録部３３とを備える。【選択図】図１
2006067387.tif 000002
【特許請求の範囲】
【請求項１】
要求先端末装置の接続可能数を越えるため拒否された要求元端末装置の接続要求に関する接続待ち情報を記憶する接続制御情報記憶部と、
前記接続待ち情報に基づいて、前記要求先端末装置への前記接続待ち情報の通知、又は、前記要求元端末装置への前記接続解放の通知の少なくとも１つを行う通知部と、
前記接続要求に対する結果に基づいて前記接続制御情報記憶部に前記接続待ち情報を登録する登録部と
を備えることを特徴とする接続制御システム。
【請求項２】
端末装置の接続可能数を越えるため拒否された要求元端末装置の接続要求に関する接続待ち情報の通知を受信する受信部と、
前記接続待ち情報の通知に基づいて前記要求元端末装置に接続要求を行う制御部と
を備えることを特徴とする端末装置。
【請求項３】
要求先端末装置の接続可能数を越えるため接続要求が拒否された場合に、前記要求先端末装置の接続解放時に該接続解放の通知を受信する受信部と、
前記接続解放の通知に基づいて前記要求先端末装置に接続要求を行う制御部と
を備えることを特徴とする端末装置。
【請求項４】
要求先端末装置の接続可能数を越えるため拒否された要求元端末装置の接続要求に関する接続待ち情報を記憶する接続制御情報記憶部に、前記接続要求に対する結果に基づいて前記接続待ち情報を登録し、
前記接続待ち情報に基づいて、前記要求先端末装置への前記接続待ち情報の通知、又は、前記要求元端末装置への前記接続解放の通知の少なくとも１つを行うことを特徴とする接続制御方法。
【発明の詳細な説明】
【技術分野】
【０００１】
本発明は、接続制御システム、端末装置及び接続制御方法に関する。
【背景技術】
【０００２】
従来、同時に複数の端末装置と接続可能な端末装置がある。同時接続可能な端末装置が接続要求の要求先端末装置となったときに、既に要求先端末装置の接続数がその接続可能数に達している場合、その接続要求は拒否される。接続要求を拒否された要求元端末装置は、再送基準や新たな接続要求の発生に基づいて、再度、要求先端末装置に接続要求を行う。又、ホストコンピュータと端末装置との接続許可数を超える未接続の回線接続要求をキューイングするネットワーク接続制御装置が提案されている（例えば、特許文献１参照）。
【特許文献１】特開２００３−２２４５６５号公報
【発明の開示】
【発明が解決しようとする課題】
【０００３】
しかしながら、要求元端末装置が再送基準や新たな接続要求の発生に基づいて、要求先端末装置に接続要求を行う方法では、要求先端末装置が接続を解放することにより接続可能になったとしても、直ちに接続要求を行うことができなかった。要求先端末装置にあっては、要求元端末装置からの接続要求を知らないため、要求元端末装置から接続要求を行うような理由がない限り、要求元端末装置に対して接続要求を行うことはできなかった。即ち、接続解放により要求先端末装置に接続可能になったことを契機にして、要求先端末装置と要求元端末装置との間の接続を確立することができなかった。
【０００４】
これにより、例えば、要求先端末装置は、優先度の高い要求元端末装置からの接続要求を拒否したことを知らずに、要求元端末装置が次に接続要求を行うのを待つことになり、必要な通信を迅速に開始することができなかった。又、要求元端末装置において再送間隔を短くすることにより、接続確立をある程度迅速化できるものの、この場合には、接続要求やその拒否処理等が増大し、端末装置やネットワークの負荷増大を招いてしまう。更に、接続許可数を超える未接続の回線接続要求をキューイングする方法の場合には、キューイング処理により負荷が増大するだけでなく、キューイングされた接続要求は必ず接続されてしまうため、要求先端末装置の接続解放時には接続の必要がなくなってしまっている場合に、無駄な接続制御を行ってしまい、端末装置やネットワークの更なる負荷増大を招いてしまう。
【０００５】
そこで、本発明は、接続解放を契機に必要な接続を確立可能とすることを目的とする。
【課題を解決するための手段】
【０００６】
本発明に係る接続制御システムは、要求先端末装置の接続可能数を越えるため拒否された要求元端末装置の接続要求に関する接続待ち情報を記憶する接続制御情報記憶部と、接続待ち情報に基づいて、要求先端末装置への接続待ち情報の通知、又は、要求元端末装置への接続解放の通知の少なくとも１つを行う通知部と、接続要求に対する結果に基づいて接続制御情報記憶部に接続待ち情報を登録する登録部とを備えることを特徴とする。
【０００７】
このような接続制御システムによれば、要求元端末装置の接続要求が要求先端末装置の接続可能数を越えるため拒否された場合に、その接続要求に関する接続待ち情報を記憶しておくことができる。そして、接続制御システムは、要求先端末装置への接続待ち情報の通知、又は、要求先端末装置の接続解放を契機とする要求元端末装置への接続解放の通知の少なくとも１つを行うことができる。そのため、通知を受けた要求元端末装置、又は、要求先端末装置のいずれかが、取得した通知に基づいて接続要求が必要か否かを判断し、接続要求を行うことができる。よって、接続制御システムによれば、接続解放を契機に必要な接続を確立することが可能となる。
【０００８】
本発明に係る端末装置は、端末装置の接続可能数を越えるため拒否された要求元端末装置の接続要求に関する接続待ち情報の通知を受信する受信部と、接続待ち情報の通知に基づいて要求元端末装置に接続要求を行う制御部とを備えることを特徴とする。このような端末装置によれば、要求先端末装置となり、要求元端末装置の接続要求を要求先端末装置の接続可能数を越えるため拒否した場合に、接続待ち情報の通知を受信し、要求元端末装置の接続が解放されたときに、受信した通知に基づいて接続要求が必要か否かを判断し、接続要求を行うことができる。よって、このような端末装置によれば、接続解放を契機に必要な接続を確立することが可能となる。
【０００９】
又、本発明に係る他の端末装置は、要求先端末装置の接続可能数を越えるため接続要求が拒否された場合に、要求先端末装置の接続解放時にその接続解放の通知を受信する受信部と、接続解放の通知に基づいて要求先端末装置に接続要求を行う制御部とを備えることを特徴とする。このような端末装置によれば、要求元端末装置となり、要求元端末装置の接続要求が要求先端末装置の接続可能数を越えるため拒否された場合に、要求先端末装置の接続解放を契機に接続解放の通知を受信し、受信した通知に基づいて接続要求が必要か否かを判断し、接続要求を行うことができる。よって、このような端末装置によれば、接続解放を契機に必要な接続を確立することが可能となる。
【００１０】
本発明に係る接続制御方法は、要求先端末装置の接続可能数を越えるため拒否された要求元端末装置の接続要求に関する接続待ち情報を記憶する接続制御情報記憶部に、接続要求に対する結果に基づいて接続待ち情報を登録し、接続待ち情報に基づいて、要求先端末装置への接続待ち情報の通知、又は、要求元端末装置への接続解放の通知の少なくとも１つを行うことを特徴とする。
【発明の効果】
【００１１】
以上説明したように、本発明によれば、接続解放を契機に必要な接続を確立することができる。
【発明を実施するための最良の形態】
【００１２】
（接続制御システム）
図１に示すように、接続制御システム１００は、移動局１０と、パーソナルコンピュータ２０ａと、サーバ２０ｂと、移動局２０ｃと、接続制御装置３０と、交換局４０と、移動通信網５０と、無線ＬＡＮ６０ａと、インターネット６０ｂと、移動通信網６０ｃとを備える。
【００１３】
移動局１０、パーソナルコンピュータ２０ａ、サーバ２０ｂ、移動局２０ｃは、通信を行う端末装置である。端末装置の種類はこれらに限定されない。端末装置は、要求先端末装置に対して接続要求を行う要求元端末装置、又は、要求元端末装置から接続要求を受ける要求先端末装置のいずれかとなる。端末装置は、同時に複数の端末装置と接続が可能である。端末装置が同時に接続可能な端末装置の数（以下「接続可能数」という）は、端末装置やネットワークの性能等によって異なる。尚、サーバ２０ｂは、例えば、インターネットサービスプロバイダ等によって設けられる。移動通信網５０と、無線ＬＡＮ６０ａと、インターネット６０ｂと、移動通信網６０ｃは、端末装置を接続するネットワークである。ネットワークの種類はこれらに限定されない。
【００１４】
移動局１０は、移動通信網５０に接続し、移動通信網５０を介して他のネットワークに接続できる。パーソナルコンピュータ２０ａは、無線ＬＡＮ６０ａに接続し、無線ＬＡＮ６０ａを介して他のネットワークに接続できる。サーバ２０ｂは、インターネット６０ｂを介して他のネットワークに接続できる。移動局２０ｃは、移動通信網６０ｃを介して他のネットワークに接続できる。
【００１５】
そして、各端末装置は、接続したネットワークを介してそのネットワークに接続する端末装置と接続し、通信を行うことができる。例えば、移動局１０とパーソナルコンピュータ２０ａは、移動通信網５０と無線ＬＡＮ６０ａを介して接続できる。移動局１０とサーバ２０ｂは、移動通信網５０とインターネット６０ｂを介して接続できる。移動局１０と移動局２０ｃは、移動通信網５０と移動通信網６０ｃを介して接続できる。
【００１６】
交換局４０、接続制御装置３０は、移動通信網５０に設けることができる。尚、接続制御装置３０の設置場所は限定されず、他のネットワークに設けても構わなく、移動通信網５０に接続して設けても構わない。接続制御装置３０は、端末装置間の接続制御を行う。接続制御装置３０は、要求先端末装置の接続数が接続可能数に達している場合、要求元端末装置からの接続要求を拒否するように交換機４０に指示する。そのため、接続制御装置３０は、要求先端末装置への接続待ち情報の通知、又は、要求元端末装置への接続解放の通知の少なくとも１つを行うことにより、端末装置間の接続制御を行う。接続待ち情報は、要求先端末装置の接続可能数を越えるため拒否された要求元端末装置の接続要求に関する情報である。尚、要求元端末装置からの接続要求は、要求先端末装置の接続数が接続可能数に達している場合、要求先端末装置によって拒否されてもよい。
【００１７】
図２に示すように、接続制御装置３０は、通信部３１と、通知部３２と、登録部３３と、接続制御情報データベース３４と、呼制御部３５とを備える。通信部３１は、移動局１０、パーソナルコンピュータ２０ａ、サーバ２０ｂ、移動局２０ｃ等の端末装置や、交換局４０と通信を行う。接続制御情報データベース３４は、要求先端末装置の接続可能数を越えるため拒否された要求元端末装置の接続要求に関する接続待ち情報を記憶する接続制御情報記憶部である。
【００１８】
接続要求に関する接続待ち情報は、要求先端末装置と、その要求先端末装置に対して接続要求を行い拒否された要求元端末装置との対応関係を含む。接続制御情報データベース３４は、例えば、要求先端末装置毎にその要求先端末装置に対して接続要求を行い、拒否された要求元端末装置を記憶することにより、接続待ち情報を記憶できる。
【００１９】
具体的には、接続制御情報データベース３４は、端末装置毎にその端末装置に関する情報を記憶する記憶領域を備える。接続制御情報データベース３４の各端末装置の記憶領域は、例えば、図４に示すように、端末装置のユーザのユーザＩＤ、端末装置の端末ＩＤ、接続可能数、通知設定端末、通信中端末、接続待ち端末のフィールドを備える。
【００２０】
通信中端末は、端末装置が接続を確立し、通信を行っている端末装置である。接続制御情報データベース３４は、通信中端末を各端末装置の接続可能数だけ記憶する。例えば、端末装置の接続可能数が２つの場合、記憶領域に通信中端末のフィールドを「通信中端末１」、「通信中端末２」のように２つ設けることができる。接続待ち端末は、要求先端末装置に対して接続要求を行い、拒否された要求元端末装置である。
【００２１】
接続制御情報データベース３４は、例えば、通信中端末や接続待ち端末のアドレスを記憶することができる。又、接続制御情報データベース３４は、通信中端末のアドレスに加え、端末装置がその通信中端末との通信に使用する使用アドレスも記憶できる。アドレスは、端末装置に予め割り当てられたものを用いてもよく、要求元端末装置が接続要求を行う際や、要求先端末装置が接続要求を受け付ける際に、端末装置が接続するネットワークから割り当てられたものを用いることができる。例えば、移動通信網５０の場合、交換局４０がアドレスを移動局１０に割り当てることができる。
【００２２】
通知設定端末は、端末装置が要求先端末装置となった場合に、接続制御を希望する要求元端末装置を示す。更に、通知設定端末は、接続する端末装置の優先順位も示す。通知設定端末は、端末装置単位で設定してもよく、端末装置が接続するネットワーク単位で設定してもよい。例えば、接続制御情報データベース３４は、通知設定端末として、優先順位の高い順に接続制御を希望する端末装置の端末ＩＤやアドレスを記憶したり、端末装置が接続するネットワークのネットワークＩＤを記憶したりできる。
【００２３】
接続制御情報データベース３４は、各端末装置の記憶領域に、端末装置のユーザのユーザＩＤ、端末装置の端末ＩＤ、接続可能数、通知設定端末を予め記憶しておく。尚、接続制御情報データベース３４は、接続制御装置３０と別に設けても構わない。
【００２４】
呼制御部３５は、要求元端末装置からの接続要求を処理する。呼制御部３５は、接続要求を通信部３１を介して交換機４０から取得する。呼制御部３５は、接続制御情報データベース３４を参照し、要求先端末装置の接続数が接続可能数に達しているか否かを判断する。呼制御部３５は、接続可能数に達している場合、要求元端末装置からの接続要求を拒否するように交換機４０に指示する。
【００２５】
一方、呼制御部３５は、接続可能数に達していない場合、要求元端末装置からの接続要求に基づく要求先端末装置に対する発呼を交換機４０に指示する。この場合、呼制御部３５は、接続要求に基づいて要求先端末装置に対して行った発呼の結果、即ち、要求元端末装置による接続要求を要求先端末装置が受け付け、接続が確立されたか否かを、通信部３１を介して交換機４０から取得する。呼制御部３５は、接続要求に対する結果を登録部３３に入力する。
【００２６】
登録部３３は、接続要求に対する結果に基づいて接続制御情報データベース３４に接続待ち情報を登録する。登録部３３は、予め、各端末装置の記憶領域に、端末装置のユーザのユーザＩＤ、端末装置の端末ＩＤ、通知設定を登録しておく。登録部３３は、呼制御部３５から接続要求に対する結果を取得する。
【００２７】
登録部３３は、要求元端末装置による接続要求を拒否し、接続確立が失敗した場合、接続要求に対する結果として、接続拒否と、要求元端末装置のアドレスと、要求元端末装置が通知設定端末か否かを判断するための情報を取得する。例えば、登録部３３は、要求元端末装置が接続するネットワークのネットワークＩＤ、要求元端末装置の端末ＩＤやアドレスを取得する。
【００２８】
登録部３３は、まず、接続制御情報データベース３４を参照し、要求先端末装置の記憶領域の通知設定端末と、取得した要求元端末装置のネットワークＩＤ、端末ＩＤ又はアドレスとを比較する。これにより、登録部３３は、要求元端末装置が通知設定端末に該当するか否かを判断する。登録部３３は、通知設定端末に該当する場合、要求先端末装置の記憶領域の接続待ち端末のフィールドに要求元端末装置のアドレスを登録する。接続待ち端末が複数存在する場合、登録部３３は、接続待ち端末のアドレスを、通知設定端末の優先順位に従って登録してもよく、接続要求が行われた順に登録してもよい。
【００２９】
登録部３３は、接続待ち端末が接続するネットワークのネットワークＩＤ等も登録できる。このようにして、登録部３３は、要求先端末装置毎にその要求先端末装置に対して接続要求を行い、拒否された要求元端末装置を登録することにより、接続待ち情報を登録できる。登録部３３は、接続待ち情報を登録した後、接続待ち情報を登録したことを通知する登録通知を通知部３２に入力する。登録通知には、要求先端末装置の端末ＩＤが含まれる。
【００３０】
一方、登録部３３は、要求元端末装置による接続要求を要求先端末装置が受け付け、接続が確立された場合、接続要求に対する結果として、接続確立と、要求元端末装置と要求先端末装置両方のアドレスと、要求元端末装置が接続するネットワークのネットワークＩＤとを取得する。登録部３３は、要求先端末装置の記憶領域における通信中端末のフィールドに、要求元端末装置のアドレス、ネットワークＩＤと、要求先端末装置の使用アドレスを登録する。
【００３１】
このとき、登録部３３は、要求元端末装置のアドレスと接続待ち端末のアドレスとを比較する。登録部３３は、接続を確立した端末装置と接続待ち端末が一致する場合には、接続待ち端末が接続を確立できたと判断し、接続待ち端末のフィールドから接続待ち端末のアドレスやネットワークＩＤを削除する。
【００３２】
又、登録部３３は、通信部３１を介して交換局４０から接続解放の通知を取得する。接続解放の通知には、要求元端末装置のアドレスと要求先端末装置の端末ＩＤが含まれる。登録部３３は、接続解放の通知により、通信中端末を削除する。登録部３３は、通信中端末を削除した後、接続解放の通知を通知部３２に入力する。このようにして、登録部３３は、接続待ち端末による接続確立や接続解放に基づいて接続制御情報データベース３４を更新する。
【００３３】
通知部３２は、接続待ち情報に基づいて、要求先端末装置への接続待ち情報の通知、又は、要求元端末装置への接続解放の通知の少なくとも１つを行う。通知部３２は、接続待ち情報の通知は、接続待ち情報が接続制御情報データベース３４に登録された時点で行ってもよく、接続解放を契機に行ってもよい。通知部３２は、接続解放の通知は接続解放を契機に行う。
【００３４】
通知部３２は、登録部３３から登録通知や、接続解放の通知を取得する。通知部３２は、登録通知を取得し、接続待ち情報登録の時点で接続待ち情報を通知する場合には、接続制御情報データベース３４の接続待ち端末のフィールドから接続待ち情報を取得し、接続待ち情報を要求先端末装置に通知する。接続待ち情報の通知には、要求元端末装置のアドレスやネットワークＩＤ等を含めることができる。
【００３５】
通知部３２は、接続解放の通知を取得した場合、接続解放の通知に含まれる要求先端末装置の端末ＩＤに基づいて接続制御情報データベース３４を検索し、要求先端末装置に対する接続待ち端末が存在するか否かを判断する。通知部３２は、接続待ち端末のフィールドに情報が登録されておらず、接続待ち端末が存在しないと判断できる場合には、通知は行わない。通知部３２は、接続待ち端末のフィールドに要求元端末装置のアドレスが登録されている場合には、接続待ち情報の通知、又は、要求元端末装置への接続解放の通知の少なくとも１つを行うことができる。
【００３６】
通知部３２は、接続待ち端末が複数存在する場合にはその優先順位に従って、優先順位の高い接続待ち端末の接続待ち情報から通知を行い、優先順位の高い接続待ち端末から順に接続解放の通知を行ってもよい。又、通知部３２は、接続要求が行われた順に通知を行ってもよい。更に、通知部３２は、ネットワークのトラヒック状況等を考慮して通知を行ってもよい。例えば、通知部３２は、トラヒック負荷が高い場合には、通知を中止したり、接続待ち端末が複数存在する場合に、通知の数を制限したりできる。
【００３７】
更に、通知部３２は、要求元端末装置の性能に基づいて接続解放の通知を行ってもよい。例えば、通知部３２は、接続制御情報データベース３４を参照し、
要求元端末装置の接続状況を確認する。通知部３２は、要求元端末装置の現在の接続数が接続可能数に達している場合には、接続解放の通知を中止するようにしてもよい。交換局４０は、接続制御装置３０からの指示に従って、要求元端末装置からの接続要求を拒否したり、接続要求に基づく要求先端末装置に対する発呼を行ったりする。交換局４０は、要求元端末装置からの接続要求や、接続要求に対する結果（接続制御装置３０からの指示に従い、接続要求に基づいて要求先端末装置に対して行った発呼の結果）、接続解放の通知を接続制御装置３０に提供する。
【００３８】
図３に示すように、移動局１０は、通信部１１と、制御部１２と、入力部１３と、表示部１４と、記憶部１５とを備える。パーソナルコンピュータ２０ａ、サーバ２０ｂ、移動局２０ｃも、ほぼ同様の構成を備える。通信部１１は、通信部１１は、パーソナルコンピュータ２０ａ、サーバ２０ｂ、移動局２０ｃ等の端末装置や、接続制御装置３０、交換局４０と通信を行う。
【００３９】
通信部１１は、移動局１０が要求先端末装置となったときに、端末装置の接続可能数を越えるため拒否された要求元端末装置の接続要求に関する接続待ち情報の通知を受信する受信部として機能する。通信部１１は、移動局１０が要求元端末装置となったときに、要求先端末装置の接続可能数を越えるため接続要求が拒否された場合に、要求先端末装置の接続解放時にその接続解放の通知を受信する受信部として機能する。
【００４０】
通信部１１は、受信した接続待ち情報の通知や接続解放の通知を、制御部１２に入力する。制御部１２は、移動局１０が要求先端末装置となったときに、接続待ち情報の通知に基づいて要求元端末装置に接続要求を行う。制御部１２は、移動局１０が要求元端末装置となったときには、接続解放の通知に基づいて要求先端末装置に接続要求を行う。
【００４１】
制御部１２は、全ての接続待ち情報の通知や接続解放の通知に基づいて制御を行ってもよく、接続待ち情報の通知や接続解放の通知があったときに、接続要求を行うか否かを判断する判断基準に基づいて制御を行ってもよい。判断基準としては、例えば、優先順位が所定以上の端末装置に関する接続待ち情報や接続解放の通知の場合には接続要求を行う、通信部１１や制御部１２の負荷状況が所定以下の場合には接続要求を行う、接続解放の通知の場合、最初に行った接続要求の重要度が所定以上の場合には接続要求を行う等を設定できる。判断基準は、記憶部１５が記憶する。制御部１２は、通信部１１から通知を取得すると、記憶部１５を参照し、判断基準に基づいて接続要求の可否を判断できる。これによれば、移動局１０は自動的に接続要求を行うことが可能となる。
【００４２】
又、制御部１２は、通信部１１から取得した接続待ち情報の通知や接続解放の通知を表示部１４に出力してもよい。表示部１４は、通知内容を表示する。この場合、移動局１０のユーザが、表示部１４に表示された通知内容に基づいて、接続要求を行うか否かを判断できる。そして、ユーザは、接続要求を行うと判断した場合、入力部１３に接続要求の指示を入力する。入力部１３は、ユーザからの接続要求の指示を取得し、制御部１２に入力する。制御部１２は、ユーザ入力による接続要求の指示に基づいて接続要求を行う。
【００４３】
次に、図４〜１０を用いて、接続制御システム１００を用いた接続制御についてより詳細に説明する。図４〜１０では、パーソナルコンピュータ２０ａ、サーバ２０ｂ、移動局２０ｃが要求元端末装置となり、移動局１０が要求先端末装置となる場合を例にとって説明する。接続制御装置３０が保持する接続制御情報データベース３４を併記する。移動局１０の接続可能数は２、ユーザＩＤは「ＵＡ」、端末ＩＤは「ＭＡ」である。
【００４４】
又、接続制御情報データベース３４のユーザＩＤが「ＵＡ」の記憶領域には、通知設定端末として、ネットワークＩＤ「Ｘ」、「Ｙ」、「Ｚ」が登録されている。ネットワークＩＤ「Ｘ」、「Ｙ」、「Ｚ」はそれぞれ、無線ＬＡＮ６０ａ、インターネット６０ｂ、移動通信網６０ｃに付与されている。又、接続可能数が２であるため、通信中端末１及び通信中端末２のフィールドを備える。
【００４５】
図４では、移動局１０とパーソナルコンピュータ２０ａが通信中である。そのため、接続制御情報データベース３４の通信中端末１のフィールドには、パーソナルコンピュータ２０ａのアドレス「ａａａ」と、パーソナルコンピュータ２０ａが接続する無線ＬＡＮのネットワークＩＤ「Ｘ」、移動局１０がパーソナルコンピュータ２０ａとの通信に使用している使用アドレス「ｘｘｘ」が登録されている。
【００４６】
図４の状態において、図５に示すようにサーバ２０ｂが接続要求を行うと、移動局１０の接続数が接続可能数に達していないため、移動局１０とサーバ２０ｂとの接続が確立される。接続制御装置３０の登録部３３は、接続制御情報データベース３４の通信中端末２のフィールドに、サーバ２０ｂのアドレス「ｂｂｂ」と、サーバ２０ｂが接続するインターネット６０ｂのネットワークＩＤ「Ｙ」、移動局１０がサーバ２０ｂとの通信に使用する使用アドレス「ｙｙｙ」を登録する。
【００４７】
図５の状態において、図６に示すように移動局２０ｃが接続要求を行う。例えば、移動局２０ｃが移動局１０にメッセージサーバを介さずに直接メッセージを送信するために接続要求を行う。このとき、移動局１０の接続数が既に接続可能数に達している。よって、移動局２０ｃからの接続要求は、要求先端末装置である移動局１０の接続可能数を越える結果、拒否される。登録部３３は、交換局４０から接続拒否と、移動局２０ｃのアドレス「ｃｃｃ」と、移動局２０ｃが接続する移動通信網６０ｃのネットワークＩＤ「Ｚ」を取得する。登録部３３は、接続制御情報データベース３４の接続待ち端末のフィールドに、移動局２０ｃのアドレス「ｃｃｃ」と、移動局２０ｃが接続する移動通信網６０ｃのネットワークＩＤ「Ｚ」を登録する。
【００４８】
図６の状態において、図７、９に示すように、移動局１０とパーソナルコンピュータ２０ａとの通信が終了し、接続が解放されると、移動局１０が新たな接続を確立することが可能になる。接続制御装置３０の登録部３３は、この移動局１０とパーソナルコンピュータ２０ａとの接続解放により、接続制御情報データベース３４の「通信中端末１」のフィールドから、パーソナルコンピュータ２０ａのアドレス「ａａａ」と、パーソナルコンピュータ２０ａが接続する無線ＬＡＮのネットワークＩＤ「Ｘ」、使用アドレス「ｘｘｘ」を削除する。
【００４９】
このとき、接続制御装置３０の通知部３２は、図７に示すような移動局１０への接続待ち情報の通知、又は、図９に示すような移動局２０ｃへの接続解放の通知の少なくとも１つを行うことができる。
【００５０】
接続待ち情報の通知を行う場合、通知部３２は、接続制御情報データベース３４の接続待ち端末のフィールドを参照し、接続待ち情報として、接続待ち端末である移動局２０ｃのアドレス「ｃｃｃ」と、移動局２０ｃが接続している移動通信網６０ｃのネットワークＩＤ「Ｚ」を取得する。通知部３２は、図７に示すように取得した接続待ち情報を移動局１０ａに通知する。
【００５１】
そして、図８に示すように、移動局１０ａの制御部１２は、通信部１１が受信した接続待ち情報に基づいて、移動局２０ｃに接続要求を行う。このとき、制御部１２は、判断基準等に基づいて接続要求を行わない決定もできる。あるいは、制御部１２は、接続待ち情報を表示部１４に出力し、それに基づくユーザの判断に従って接続要求を行ってもよい。制御部１２は、交換局４０から移動局２０ｃとの通信に使用するアドレス「ｚｚｚ」を割り当ててもらう。制御部１２は、アドレス「ｚｚｚ」を使用して移動局２０ｃに接続要求を行う。これにより、移動局１０と移動局２０ｃは接続を確立し、通信を開始する。
【００５２】
又、接続解放の通知を行う場合、通知部３２は、接続制御情報データベース３４から、接続が解放された要求先端末装置である移動局１０の端末ＩＤと、接続待ち端末である移動局２０ｃのアドレス「ｃｃｃ」を取得する。通知部３２は、図９に示すように、アドレス「ｃｃｃ」を用いて移動局２０ｃに、要求先端末装置である移動局１０の端末ＩＤを通知して、その接続解放を通知する。
【００５３】
そして、図１０に示すように、移動局２０ｃの制御部１２は、通信部１１が受信した接続解放の通知に基づいて、移動局１０に接続要求を行う。このとき、制御部１２は、判断基準等に基づいて接続要求を行わない決定もできる。あるいは、制御部１２は、接続待ち情報を表示部１４に出力し、それに基づくユーザの判断に従って接続要求を行ってもよい。移動局２０ｃからの接続要求を受けて、交換局４０は移動局１０に移動局２０ｃとの通信に使用するアドレス「ｚｚｚ」を割り当て、移動局２０ｃからの接続要求を移動局１０に着信させる。そして、移動局１０と移動局２０ｃは接続を確立し、通信を開始する。
【００５４】
図８、図１０に示すように、移動局１０と移動局２０ｃの接続が確立すると、接続制御装置３０の登録部３３は、接続待ち情報データベース３４の接続待ち端末のフィールドから、移動局２０ｃに関する接続待ち情報を削除する。又、通信中端末１のフィールドに、移動局２０ｃのアドレス「ｃｃｃ」と、移動局２０ｃが接続する移動通信網６０ｃのネットワークＩＤ「Ｚ」、移動局１０が移動局２０ｃとの通信に使用する使用アドレス「ｚｚｚ」を登録する。
【００５５】
尚、通知部３２は、図７に示すように接続待ち情報を移動局１０に接続開放時に通知してもよく、図６に示すように接続待ち情報を接続制御情報データベース３４に登録した時点で、移動局１０に通知してもよい。これによれば、移動局１０は、自身が接続を解放した時点で直ちに接続要求の可否を判断し、接続要求を行うことができる。よって、より迅速な接続確立が可能となる。又、通知部３２は、接続待ち情報の通知と接続解放の通知を両方行ってもよく、接続待ち情報や接続解放の通知を複数回行ってもよい。
【００５６】
（接続制御方法）
次に、接続制御方法の手順を説明する。まず、接続待ち情報を通知する場合を図１１に示す。接続制御装置３０は、交換局４０から接続要求に対する結果を取得する（Ｓ１０１）。接続制御装置３０は、接続要求に対する結果が新たな接続の確立、接続の拒否、又は、接続の解放のいずれであるかを判断する（Ｓ１０２）。接続制御装置３０は、新たな接続確立の場合には、接続制御情報データベース３４の通信中端末のフィールドに、取得した結果に基づいて情報を登録する（Ｓ１０３）。接続制御装置３０は、接続解放の場合には、接続制御情報データベース３４が保持する接続待ち情報に基づいて、要求先端末装置に接続待ち情報を通知する（Ｓ１０４）。接続制御装置３０は、接続拒否の場合には、接続制御情報データベース３４の接続待ち端末のフィールドに、取得した結果に基づいて情報を登録する（Ｓ１０５）。
【００５７】
次に、接続解放を通知する場合を図１２に示す。接続制御装置３０は、ステップ（Ｓ１０１）〜（Ｓ１０３）、（Ｓ１０５）と同様のステップ（Ｓ２０１）〜（Ｓ２０３）、（Ｓ２０５）を行う。接続制御装置３０は、接続解放の場合には、接続制御情報データベース３４が保持する接続待ち情報に基づいて、要求元端末装置に要求先端末装置の接続解放を通知する（Ｓ２０４）。
【００５８】
（効果）
このような接続制御システム１００、接続制御装置３０、移動局１０、パーソナルコンピュータ２０ａ、サーバ２０ｂ、移動局２０ｃ及び接続制御方法によれば、要求元端末装置の接続要求が要求先端末装置の接続可能数を越えるため拒否された場合に、その接続要求に関する接続待ち情報を記憶しておくことができる。そして、接続制御システム１００は、要求先端末装置への接続待ち情報の通知、又は、要求元端末装置に接続解放への通知の少なくとも１つを行って、接続を促すことができる。そのため、通知を受けた要求元端末装置、又は、要求先端末装置のいずれかが、取得した通知に基づいて接続要求が必要か否かを判断し、接続要求を行うことができる。よって、接続制御システム１００によれば、再送周期などを待つことなく、接続解放を契機に必要な接続を迅速に確立することが可能となる。しかも、接続制御システム１００主導で制御することができる。
【００５９】
又、移動局１０、パーソナルコンピュータ２０ａ、サーバ２０ｂ、移動局２０ｃ等の端末装置によれば、要求先端末装置となり、要求元端末装置の接続要求が要求先端末装置の接続可能数を越えるため拒否された場合に、要求先端末装置の接続解放を契機に接続待ち情報の通知を受信し、受信した通知に基づいて接続要求が必要か否かを判断し、接続要求を行うことができる。
【００６０】
更に、移動局１０、パーソナルコンピュータ２０ａ、サーバ２０ｂ、移動局２０ｃ等の端末装置は、要求元端末装置となり、要求元端末装置の接続要求が要求先端末装置の接続可能数を越えるため拒否された場合に、要求先端末装置の接続解放を契機に接続解放の通知を受信し、受信した通知に基づいて接続要求が必要か否かを判断し、接続要求を行うことができる。よって、移動局１０、パーソナルコンピュータ２０ａ、サーバ２０ｂ、移動局２０ｃ等の端末装置によれば、接続解放を契機に必要な接続を迅速に確立することが可能となる。
【図面の簡単な説明】
【００６１】
【図１】本発明の実施の形態に係る接続制御システムの構成を示す図である。
【図２】本発明の実施の形態に係る接続制御装置の構成を示すブロック図である。
【図３】本発明の実施の形態に係る移動局の構成を示すブロック図である。
【図４】本発明の実施の形態に係る接続数が１の状態を示す図である。
【図５】本発明の実施の形態に係る接続数が２の状態を示す図である。
【図６】本発明の実施の形態に係る接続拒否時の状態を示す図である。
【００６２】
を示す図である。
【図７】本発明の実施の形態に係る要求先端末装置への通知を示す図である。
【図８】本発明の実施の形態に係る要求先端末装置への通知による接続確立を示す図である。
【図９】本発明の実施の形態に係る要求元端末装置への通知を示す図である。
【図１０】本発明の実施の形態に係る要求元端末装置への通知による接続確立を示す図である。
【図１１】本発明の実施の形態に係る接続制御方法の手順を示すフロー図である。
【図１２】本発明の実施の形態に係る接続制御方法の他の手順を示すフロー図である。
【符号の説明】
【００６３】
１０，２０ｃ  移動局
１１  通信部
１２  制御部
１３  入力部
１４  表示部
１５  記憶部
２０ａ  パーソナルコンピュータ
２０ｂ  サーバ
３０  接続制御装置
３１  通信部
３２  通知部
３３  登録部
３４  接続制御情報データベース
３５  呼制御部
４０  交換局
５０，６０ｃ  移動通信網
６０ａ  無線ＬＡＮ
６０ｂ  インターネット
１００  接続制御システム
【図１】
2006067387.tif 000003
【図２】
2006067387.tif 000004
【図３】
2006067387.tif 000005
【図４】
2006067387.tif 000006
【図５】
2006067387.tif 000007
【図６】
2006067387.tif 000008
【図７】
2006067387.tif 000009
【図８】
2006067387.tif 000010
【図９】
2006067387.tif 000011
【図１０】
2006067387.tif 000012
【図１１】
2006067387.tif 000013
【図１２】
2006067387.tif 000014